(57)【要約】【課題】  下ケースと上ケースの組合せで構成されるキャビネットを備えた電子機器であって、上下ケースの接合面に隙間が生じることなく、又組立て・分離作業の便利な、しかも斬新なデザインで形成したキャビネットを備えた電子機器の提供。【解決手段】  下側板５及び上側板８は湾曲して外方向へ張出し、縁が互いに接する接合面９は前後方向に傾斜し、そして上下側板５，８には複数のフック１０ａ，１０ｂ，１１ａ，１１ｂを設けると共に接合面９に沿ってスライドさせることで互いに係合し、該接合面９に接合圧を作用して隙間を残さないよう組立てられている。【選択図】        図２ 
2005064442.tif 000002
【特許請求の範囲】
【請求項１】
下ケースと上ケースの組合せで構成されるキャビネットを備えた電子機器において、下側板及び上側板の縁が互いに接する接合面は前後方向に傾斜し、そして上下側板には複数のフックを設けると共に接合面に沿ってスライドさせることで互いに係合し、該接合面に接合圧を作用して隙間を残さないよう組立てられたことを特徴とするキャビネットを備えた電子機器。
【請求項２】
下ケースと上ケース及びフロントパネルの組合せで構成されるキャビネットを備えた電子機器において、下側板及び上側板の縁が互いに接する接合面は前後方向に傾斜し、そして上下側板には複数のフックを設けると共に接合面に沿ってスライドさせることで互いに係合し、該接合面に接合圧を作用して隙間を残さないよう組立てられたことを特徴とするキャビネットを備えた電子機器。
【請求項３】
上記フロントパネルの背後に係止片を設け、該係止片を下ケースに取付けたシールドケースのフロント部に係止して取付けた請求項２記載のキャビネットを備えた電子機器。
【請求項４】
下ケースの両下側板及び上ケースの両上側板は湾曲して外方向へ張出した請求項１、請求項２、又は請求項３記載のキャビネットを備えた電子機器。
【請求項５】
一方側のフックに嵌合部を設け、他方のフックを該嵌合部に嵌合させた請求項１、請求項２、請求項３、又は請求項４記載のキャビネットを備えた電子機器。
【請求項６】
下側板及び上側板にはガイド溝を形成したガイド部、及びガイド片を設け、ガイド部のガイド溝にガイド片が係合した請求項１、請求項２、請求項３、請求項４、又は請求項５記載のキャビネットを備えた電子機器。
【請求項７】
上記電子機器が、記録媒体を回転するターンテーブルと、該記録媒体から情報の読み込み或いは記録媒体への情報の書き込みを行うピックアップとを備えたディスク記録再生機器である請求項１、請求項２、請求項３、請求項４、請求項５、又は請求項６記載のキャビネットを備えた電子機器。
【発明の詳細な説明】
【技術分野】
【０００１】
本発明は下ケースと上ケースから成る電子機器のキャビネット構造に関するものである。
【背景技術】
【０００２】
一口に電子機器と言ってもその種類は多種多様化し、又そのデザインも色々ある。キャビネットは一般的にプラスチックを材質として成形され、各種電子部品を取付けて構成したシャーシを収容している。上記キャビネットが一体型と成っている場合は良いが、下ケースと上ケースとが組み合わされて構成される場合、上下ケース間に隙間が発生する場合がある。材料の節減の為に肉厚を薄くしたキャビネットの各部は変形し易く、その為に接合面に隙間が発生する。該隙間は外から見えて電子機器の外観が損なわれてしまう。
【０００３】
このように上下ケースで構成したキャビネットにおいて、下ケースと上ケース間にガタツキが発生しないようにした従来技術として、実開平３−２５２８３号に係る「プラスチック筺体」が知られている。すなわち、開口部を有す第１の筺体部と、この第１の筺体部の前記開口部側の周縁部が嵌め込まれる開口部を有する第２の筺体部とを具備し、前記第１の筺体部及び前記第２の筺体部の何れかのうちの一方には凹部が形成され、他方にはこの凹部と係合し前記第２の筺体部に嵌め込まれた前記第１の筺体部が前記第２の筺体部への挿入方向と反対方向へ移動することを阻止するツメ部が設けられているプラスチック筺体において、前記第２の筺体部の対向する内壁面の夫々の近傍には前記第２の筺体部の開口に嵌め込まれる前記周縁部の端面と当接するガイド部が設けられ、このガイド部の前記端面と当接する面は前記端面が前記面に沿って前記挿入方向へ移動するに従って前記内壁面に近づく状態に傾斜している。
【０００４】
従って、第２の筺体部に第１の筺体部が組み合わされるならば、第１の筺体部と第２の筺体部に設けている周縁部は互いに密着して間に隙間が発生することはなく、ガタツキもない。しかし、このプラスチック筺体では第１の筺体部と第２の筺体部に形成している周縁部の外側面と内側面が隙間なく当接する構造であるが、第１の筺体部の側面板と第２の筺体部の側面板との間には隙間が残される。
【０００５】
上記第１の筺体部と第２の筺体部の周縁部を互いに当接させる為にガイド部を有しているが、ガイド部上端の傾斜面の寸法に誤差があれば、隙間が発生して筺体部はガタ付くことになる。一方、該プラスチック筺体は内部に凹部と該凹部にはツメ部が係合した連結構造と成っている為に、第１の筺体部を取外し難く、修理やメンテナンス時には面倒である。
【特許文献１】実開平３−２５２８３号に係る「プラスチック筺体」
【発明の開示】
【発明が解決しようとする課題】
【０００６】
このように、従来の電子機器のキャビネットには上記のごとき問題がある。本発明が解決しようとする課題はこの問題点であり、下ケースと上ケースの接合面に隙間が生じることなく、又組み立て・分離作業の便利な、しかも斬新なデザインで形成されたキャビネットを備えた電子機器を提供する。
【課題を解決するための手段】
【０００７】
本発明に係る電子機器のキャビネットは下ケースと上ケースから成り、上下ケースが組合されて構成される。そして、本発明のキャビネットは下ケース側板及び上ケース側板は必要に応じて湾曲して外方向へ張出している。又接合面と成る下ケース側板の上縁及び上ケース側板の下縁は水平でなく傾斜している。すなわち、側板の高さが位置によって異なり前後方向に傾斜した接合面と成っている。しかし、全ての位置での下ケース側板と上ケース側板の高さ寸法の合計は等しく成っている為に、上ケース上面は水平である。
【０００８】
そして、下ケース及び上ケースの側板の上縁近傍内側及び下縁近傍内側にはフックが設けられ、互いに係合して両側板上縁及び下縁が隙間なく接することが出来る接合面と成る。ここで、上ケースは下ケース上に載置して側板の上縁に沿ってスライドすることで下ケース側板側のフックに上ケース側板側のフックが係合可能となる。フックには両側板の上下縁が互いに隙間なく接すると共に、内側及び外側への位置ズレを防止する為の嵌合部が形成されている。
【０００９】
上記フックは上下ケースの片側側板に少なくとも２箇所設けられているが、両フック間及びその他の側板部分での位置ズレを防止する為に、ガイドを設けている。何れかの側板内側にガイド溝を形成し、他方の側板内側にはガイド片を設けることで、下ケースに上ケースを被せて組み合わせる場合にガイド溝にガイド片が嵌入して側板の上下縁の位置ズレを防止している。
【００１０】
本発明に係るキャビネットは、このように下ケースと上ケースの組合せで構成されるが、下ケース及び上ケースの他にフロントパネルを別部材として構成する場合もある。上下ケースの2ピース構造の場合には、下ケース及び上ケースの一部にフロントパネルが一体化して成形されている。
【発明の効果】
【００１１】
本発明の電子機器のキャビネットは下ケースと上ケースを組合わせて構成され、そして下ケース側板及び上ケース側板は必要に応じて湾曲して外方向へ張出すと共に、接合面は傾斜している。しかし、下側板及び上側板にはフックが設けられ、上ケースを下ケースの下側板上縁に沿ってスライドさせることで上下フックが互いに係合して強固に組合され、接合面は位置ズレすることなく、又隙間を生じることなく接合する。
【００１２】
又、フック以外の箇所にはガイド部とガイド部に形成したガイド溝に嵌るガイド片が上下側板に設けられている。従って、上下側板の接合面の位置ズレを防止し、フック以外の箇所であっても、上下側板の縁は段差を発生することなく正しく接合する。よって、組み合わされた上下ケース間でのガタ付きは生じない。
【００１３】
そして、上ケースを取外す場合には、逆方向へスライドさせることで簡単に分離でき、修理及びメンテナンスを行う際には便利である。このように、上下側板にフック及びガイド部やガイド片を設けることで、該側板の強度並びに剛性が高くなり、特に本発明のキャビネット形状のように上下側板が外方向へ張出していても、強度的に問題はない。すなわち、フック及びガイド部やガイド片は補強としての機能を発揮することが出来る。
【００１４】
一方、フロントパネルを独立した部材として構成される3ピース構造の場合、該フロントパネルには係止ツメが設けられている為に、シールドケースの正面部に簡単に取付けられる。
【実施例】
【００１５】
以下、本発明に係る実施例を図面に基づいて詳細に説明する。
図１は本発明に係る電子機器のキャビネットの具体例を示す外観図である。該キャビネットは下ケース１と上ケース２が組合されて構成され、下ケース１は上方を開口した箱形であって、底板３、下正面板４、下背板、そして下側板５，５を有し、上ケース２は下方を開口した箱形であって、上板６、上正面板７、上背板、そして上側板８，８を有している。
【００１６】
ところで、同図に示しているキャビネットの上板６は水平であるが、上正面板７は後方へ傾斜し、下側板５および上側板８から成る側板は外側へ湾曲して張出した山形をしている。そして下側板５と上側板８の上側縁及び下側縁の接合面９は同じ高さではなく、正面側が高く、背面側では低くなって傾斜している。このような形態の側板であるが、接合面９に隙間が発生しないように、又上側縁と下側縁とが左右に位置ズレしないように上下側板８，５が互いに係合した連結形態となっている。すなわち、下側板５と上側板８とが湾曲して外側へ張出している為に、上方から作用する荷重に対して強度的に弱いが、上下側板８，５の連結構造にて強度の補強が成されている。
【００１７】
図２はキャビネットの上下側板連結構造を示しているが、下ケース１に対して上ケース２を左方向(矢印方向)へスライドさせることで組み合わされる。下ケース１の下側板５の内側にはフック１０ａ，１０ｂを２箇所に設け、上ケース２の上側板８の内側にはフック１１ａ，１１ｂを２箇所に設けている。そして、上ケース２の上側板８の内側にはガイド部１２ａ，１２ｂを２箇所に設け、下ケース１の下側板５の内側にはガイド片１３ａ，１３ｂを設けている。
【００１８】
ところで、下ケース１に対して上ケース２を矢印方向へスライドさせるならば、上ケース２のフック１１ａ，１１ｂは下ケース１のフック１０ａ，１０ｂに係合することが出来、上ケース２は下ケース１に組み合わされてキャビネットが構成される。又、上ケース２を下ケース１に載置することで、ガイド部１２ａ，１２ｂには下側が開口した細幅のガイド溝が形成されているが、ガイド片１３ａ，１３ｂはこのガイド溝に嵌合する。そして、上ケース２がスライドして両フック１０ａ，１１ａ，１０ｂ，１１ｂが互いに係合したところで、上ケース２は下ケース側からネジ止めされる。
【００１９】
図３は下ケース１の内側を示し、下側板５にはフック１０ａ，１０ｂ、及びガイド片１３ａ，１３ｂがそれぞれ設けられ、図４は上ケース２の内側を表し、上側板８にはフック１１ａ，１１ｂ及びガイド部１２ａ，１２ｂを夫々設けている。そして、ガイド部１２ａ，１２ｂには細幅のガイド溝１４ａ，１４ｂを形成している。
【００２０】
図５は下側板５に設けているフック１０と上側板８に設けているフック１１を分離した状態で示しているが、フック１０は概略箱形を成している。すなわち、下片部１５、上片部１６、内側片部１７、及び外側片部１８を有し、これら各片部によって囲まれた嵌合部１９を形成している。他方のフック１１は上側板８からアーム２０を水平に延ばし、アーム先端に角形のフック１１を形成し、フック１１の先端部は傾斜面２１，２１と成っている。
【００２１】
図６はフック１０にフック１１が嵌合した場合を示している。前記図２に示したように、下ケース１の上に上ケース２を載せると共に、両側板の縁を接合した状態で左方向へスライドさせるならば、図６のようにフック１０の嵌合部１９にはフック１１が嵌合して結合される。ここで、フック１１はフック１０の上片部１６に接した状態で嵌合し、下側板５の上縁２２と上側板８の下縁２３が隙間なく接して組合される。
【００２２】
図７はガイド部１２とガイド片１３との係合状態を示している。ガイド部１２には細幅のガイド溝１４が形成され、このガイド溝１４に下側板５の内側に起立するガイド片１３が嵌合している。ガイド部１２は上側板８の内側に設けた補強リブとしても機能し、又ガイド片１３の両端は図３に示しているように下側板５と連結している。従って、ガイド片１３がガイド部１２のガイド溝１４に嵌合することで下側板５及び上側板８は正しく位置決めされ、上縁２２と下縁２３が位置ズレすることはない。
【００２３】
図８はフックの別形態を示す具体例である。フック１０の下片部１５は下側板５の上縁の位置に設けられ、又フック１１はアーム２０の上側に形成している点が、図５、図６に示しているフックと違っているだけで、その他の形状は同じである。
【００２４】
図９もフックの別形態を示す具体例である。フック１０は下片部１５、内側片部１７、及び上片部１６、そして下側板５から延びる下片部１５の途中には外側片部１８を有している。他方のフック１１は上側板８から延びるアーム２０の先端に概略Ｌ型断面を成して形成され、該フック１１は上記フック１０の嵌合部１９に嵌合して組合される。
【００２５】
図１０はフックの更なる別形態を示す具体例である。フック１０は下片部１５、内側片部１７、及び上片部１６、そして下側板５から延びる下片部１５の途中には外側片部１８を有している。他方のフック１１は上側板８から延びるアーム２０の先端に形成されて概略Ｌ型を成し、該フック１１は上記フック１０の嵌合部１９に嵌合して組合される。
【００２６】
前記図１に示した実施例では、下ケース１に下正面板４が一体成形され、又上ケース２に上正面板７が一体成形されている。そこで、下ケース１と上ケース２が互いに組合されるならば、下正面板４と上正面板７も互いに組合されてキャビネットのフロント部を形成することが出来る。図１１は本発明に係るキャビネット構造の別形態を示している。
【００２７】
同図に示すキャビネット構造は下ケース２４、上ケース２５、フロントパネル２６の３ピースで構成されている。図１２には下ケース２４、上ケース２５、及びフロントパネル２６を分離した状態の展開図を示しているように、フロントパネル２６はシールドケース２７のフロント部２８に設けているツメ３２，３２・・に係止して取付けられる。
【００２８】
図１３は下ケース２４にシールドケース２７が取付けられた場合であり、このシールドケース２７のフロント部２８にフロントパネル２６が取付けられる。該フロントパネル２６の背面側にはガイド片２９，２９・・が設けられ、該ガイド片２９，２９・・にて枠組みされた空間にフロント部２８が嵌合し、そして後方へ延びている係止片３０，３０・・の先端部に形成した穴３１，３１・・にツメ３２，３２・・が係止することが出来る。
【００２９】
図１４はフロントパネル２６の係止片３０，３０・・の穴３１，３１・・がツメ３２，３２・・に係止してシールドケース２７のフロント部２８に取付けられた場合を示している。フロントパネル２６の下側にも同じく穴３１，３１を形成した係止片３０，３０を有し、該係止片３０，３０の穴３１，３１がシールドケースフロント部２８の下面に設けているツメ３２，３２に係止する。
【００３０】
図１５は下ケース２４の裏面側を示した場合であり、下ケース２４の正面側には切欠き部３３，３３が形成されていて、この切欠き部３３，３３にフロントパネル２６の下側係止片３０，３０が嵌入して穴３１，３１にツメ３２，３２が係止することが出来る。
【００３１】
ところで、下ケース２４と上ケース２５の連結構造は前記図２に示した場合と同じであって、下ケース２４の下側板の内側にはフックを２箇所に設け、上ケース２５の上側板の内側にはフックを２箇所に設けている。そして、上ケース２５の上側板の内側にはガイド部を２箇所に設け、下ケース２４の下側板の内側にはガイド片を設けている。
【００３２】
ところで、上記フックの形態は他にも色々ある為に実施例に限定するものではない。同じく、ガイド部とガイド片の形態も同じく限定しない。以上述べたように、本発明のキャビネットは下ケースと上ケースの組合せ、又は下ケースと上ケース、及びフロントパネルの組合せで構成され、側板は外側へ湾曲して張出すと共に前後方向に接合面は傾斜し、そして上下側板にはフックを設けて互いに係合したものである。
【図面の簡単な説明】
【００３３】
【図１】本発明のキャビネット外観図。
【図２】キャビネットの下側板及び上側板の連結構造。
【図３】下ケースの内面図。
【図４】上ケースの内面図。
【図５】フックの具体例であって分離している場合。
【図６】フックが係合した場合。
【図７】ガイド部とガイド片の係合関係。
【図８】フックの別形態。
【図９】フックの別形態。
【図１０】フックの別形態。
【図１１】本発明に係る別のキャビネット外観図。
【図１２】キャビネットの展開図。
【図１３】下ケースにシールドケースを取付けた場合。
【図１４】シールドケースのフロント部にフロントパネルを取付けた場合。
【図１５】フロントパネルと下ケースの底面形態。
【符号の説明】
【００３４】
１  下ケース
２  上ケース
３  底板
４  下正面板
５  下側板
６  上板
７  上正面板
８  上側板
９  接合面
10  フック
11  フック
12  ガイド部
13  ガイド片
14  ガイド溝
15  下片部
16  上片部
17  内側片部
18  外側片部
19  嵌合部
20  アーム
21  傾斜面
22  上縁
23  下縁
24  下ケース
25  上ケース
【図１】
2005064442.tif 000003
【図２】
2005064442.tif 000004
【図３】
2005064442.tif 000005
【図４】
2005064442.tif 000006
【図５】
2005064442.tif 000007
【図６】
2005064442.tif 000008
【図７】
2005064442.tif 000009
【図８】
2005064442.tif 000010
【図９】
2005064442.tif 000011
【図１０】
2005064442.tif 000012
【図１１】
2005064442.tif 000013
【図１２】
2005064442.tif 000014
【図１３】
2005064442.tif 000015
【図１４】
2005064442.tif 000016
【図１５】
2005064442.tif 000017